(57)【要約】【課題】筐体内のメンテナンス作業にかかる手間と時間を減らし、また、そのために既設の装置を利用することが可能な内照式ポスター掲示装置を提供すること。【解決手段】略矩形筒状の本体枠３と、本体枠３の裏面を閉塞する裏面板８とからなり、全体として扁平箱状となる筐体２と、筐体２の開放された表面を閉塞するために設けられるとともに、本体枠３の外側面５ａの表面側に回動可能に連結されることで開閉自在に設けられ、その外面がポスター掲示面１７となる、透光性を有する内扉１０と、筐体２内に設けられ、内扉１０の内面側からポスター掲示面１７に配置されたポスターＰを照射してポスターＰを発光表示させる光源１８と、内扉１０のポスター掲示面１７を覆うように筐体２に設けられるとともに、本体枠３の外側面５ａの表面側に回動可能に連結されることで開閉自在に設けられた透光性を有する外扉２０と、を備えた。【選択図】図２
2014145912.tif 000002
【特許請求の範囲】
【請求項１】
アルミ合金などの軽金属からなる略矩形筒状の本体枠（３）と、該本体枠の裏面を閉塞する透光性を有しない裏面板（８）とからなり、全体として扁平箱状となる筐体（２）と、
前記筐体の開放された表面を閉塞するために設けられるとともに、前記本体枠の外側面（５ａ）の前記表面側に回動可能に連結されることで開閉自在に設けられ、その外面がポスター掲示面（１７）となる、透光性を有する内扉（１０）と、
前記筐体内に設けられ、前記内扉の内面側から前記ポスター掲示面に配置されたポスター（Ｐ）を照射して該ポスターを発光表示させる光源（１８）と、
前記内扉の前記ポスター掲示面を覆うように前記筐体に設けられるとともに、前記本体枠の前記外側面の前記表面側に回動可能に連結されることで開閉自在に設けられた透光性を有する外扉（２０）と、
を備えたことを特徴とする内照式ポスター掲示装置。
【請求項２】
前記筐体（２）の前記本体枠（３）と前記内扉（１０）及び前記外扉（２０）は１つのヒンジ部（３０）を介して連結されており、
前記ヒンジ部は、
前記本体枠の前記外側面（５ａ）の前記表面側に該本体枠の高さ方向に沿って設けられ、円弧状の内面（７ａ）を有する凹溝（７）と、
前記内扉（１０）における前記本体枠と連結される側の外側面（１２ａ）から突出して設けられるとともに該内扉の高さ方向に沿って設けられ、前記凹溝の前記内面と嵌合するように円弧状に形成され、前記凹溝の前記内面の円弧方向に摺動することで該凹溝と共にヒンジ構造を形成する内側凸片（１４）と、
前記外扉（２０）における前記本体枠と連結される側の外側面（２２ａ）から突出して設けられるとともに該外扉の高さ方向に沿って設けられ、前記内側凸片の湾曲内面（１４ａ）に嵌合するように円弧状に形成され、前記内側凸片の前記湾曲内面の円弧方向に摺動することで前記凹溝及び前記内側凸片と共にヒンジ構造を形成する外側凸片（２４）と、
を備えたことを特徴とする請求項１記載の内照式ポスター掲示装置。
【発明の詳細な説明】
【技術分野】
【０００１】
本発明は、ポスターが配置された筐体を所望の場所に設置して、筐体に配置されたポスターを掲示するとともに、このポスターを発光表示させる内照式ポスター掲示装置に係り、詳細には、筐体を閉塞するとともにポスター掲示面となる内扉と、この内扉を更に覆う外扉とを共に開閉自在に設けた内照式ポスター掲示装置に関する。なお、このような内照式ポスター掲示装置は、例えば、タバコなどの自動販売機の近傍などに設置されて特定のタバコの広告や、ファーストフード店などの店内に設置されて当該店の新メニューなどの広告として機能する。
【背景技術】
【０００２】
図４に示すように、筐体１０１のポスター掲示面１０６に配置されたポスターＰの裏面側を筐体１０１内に設けられたＬＥＤなどの光源１０４により照らすことで、このポスターＰを発光表示させる内照式ポスター掲示装置１００がある。筐体１０１は、アルミ合金などの軽金属からなる略矩形筒状の本体枠１０２と、本体枠１０２と同様にアルミ合金などの軽金属製で、本体枠１０２の裏面を閉塞する裏面板１０３とからなり、全体として扁平箱状となっている。また、光源１０４は、複数の蛍光灯タイプのＬＥＤなどからなり、筐体１０１内に配設されている。筐体１０１の開放された表面には、この開口（表面）を閉塞するように透光性を有する表面板１０５が取り付けられている。なお、一般的には表面板１０５は透明なアクリル板などである。この表面板１０５の外面がポスターＰが配置されるポスター掲示面１０６となる。筐体１０１の表面側には、表面板１０５（ポスター掲示面１０６）を所定の空間を形成しながら覆うように外扉１０７が設けられている。外扉１０７は、開閉自在となるようにその一方の外側面１０７ａが筐体１０１（本体枠１０２）の一方の外側面１０２ａに連結されている。外扉１０７の表面側には、ポスター掲示面１０６に配置されたポスターＰを鮮明に表示させるために透光性を有する板１０８（一般的には透明なアクリル板）が設けられている。
【０００３】
上述した内照式ポスター掲示装置１００は、外扉１０７を開閉自在となるように筐体１０１に連結させるための特別構造のヒンジ部１０９を備えている。このヒンジ部１０９は、いわゆる無蝶番構造であり、本願の出願時点において本願出願人が特許権を有する下記特許文献１に開示されるものと類似する構造である。すなわち、無蝶番構造のヒンジ部２００（ヒンジ部１０９）は、図５に示すように、端縁部２０１（外側面１０２ａ）にこの端縁部２０１の長さを半径として設けられた断面円弧状の溝部２０２を有し、開閉枠２０３（外扉１０７）の端縁部２０４（外側面１０７ａ）にこの端縁部２０４の長さを半径として設けられた断面円弧状の係合部２０５を有し、開閉枠２０３が、溝部２０２に対する係合部２０５の内面接触による回動可能としての係合で連結された構造である。なお、図５は下記特許文献１の図面（の図２）である。また、図５における括弧内の符号は、図４における同等箇所を示すために付したものである。
【先行技術文献】
【特許文献】
【０００４】
【特許文献１】特許第２６６０３９０号公報
【発明の概要】
【発明が解決しようとする課題】
【０００５】
しかしながら、上述した従来の内照式ポスター掲示装置１００では、図４に示すように、ポスター掲示面１０６を形成する表面板１０５が筐体１０１の本体枠１０２に対して複数のビス１１０によって取り付けられていた。なお、ビス１１０は、図４には２つだけがあらわれているが、実際には表面板１０５の周縁部の全体にわたって所定の間隔をあけながら取り付けられている。このように、ビス１１０が多数あると、筐体１０１内をメンテナンス（例えば光源となるＬＥＤ蛍光灯の交換など）するときに手間がかかる。通常、メンテナンス作業は、例えば、タバコの広告などに使用されている場合はセールスマンなどが行うが、町中には多数のこのような内照式ポスター掲示装置１００が設置されてため、この作業に要する時間をできるだけ減らしたいという要望がある。
【０００６】
また、同時に、本願出願人は、上述した従来の内照式ポスター掲示装置１００において、上述した課題を解決するために、すなわち、メンテナンス作業にかかる手間を軽減するために、筐体１０１（本体枠１０２）と外扉１０７を回動可能に連結させる無蝶番構造のヒンジ部１０９（又はヒンジ部２００）を利用することはできないかを検討した。仮にこれを利用することができれば、既設の内照式ポスター掲示装置１００の全部を交換せずにその一部を交換するだけで済むようになり、コスト削減になる。
【０００７】
本発明は、このような状況に鑑みてなされたものであり、第１に、筐体内のメンテナンス作業にかかる手間と時間を減らし、第２に、筐体内のメンテナンス作業にかかる手間と時間を減らすために既設の内照式ポスター掲示装置を利用することができる、内照式ポスター掲示装置を提供することを目的としている。
【課題を解決するための手段】
【０００８】
次に、上記の課題を解決するための手段を、実施の形態に対応する図面を参照して説明する。
本発明に係る請求項１記載の内照式ポスター掲示装置は、アルミ合金などの軽金属からなる略矩形筒状の本体枠３と、該本体枠３の裏面を閉塞する透光性を有しない裏面板８とからなり、全体として扁平箱状となる筐体２と、
前記筐体２の開放された表面を閉塞するために設けられるとともに、前記本体枠３の外側面５ａの前記表面側に回動可能に連結されることで開閉自在に設けられ、その外面がポスター掲示面１７となる、透光性を有する内扉１０と、
前記筐体２内に設けられ、前記内扉１０の内面側から前記ポスター掲示面１７に配置されたポスターＰを照射して該ポスターＰを発光表示させる光源１８と、
前記内扉１０の前記ポスター掲示面１７を覆うように前記筐体２に設けられるとともに、前記本体枠３の前記外側面５ａの前記表面側に回動可能に連結されることで開閉自在に設けられた透光性を有する外扉２０と、
を備えたことを特徴としている。
【０００９】
このような構成によれば、筐体２内のメンテナンス作業を行うときには、外扉２０を開いた後に内扉１０を開くというきわめて簡単な操作で済むようになる。
【００１０】
請求項２記載の内照式ポスター掲示装置は、前記筐体２の前記本体枠３と前記内扉１０及び前記外扉２０は１つのヒンジ部３０を介して連結されており、
前記ヒンジ部３０は、
前記本体枠３の前記外側面５ａの前記表面側に該本体枠３の高さ方向に沿って設けられ、円弧状の内面７ａを有する凹溝７と、
前記内扉１０における前記本体枠３と連結される側の外側面１２ａから突出して設けられるとともに該内扉１０の高さ方向に沿って設けられ、前記凹溝７の前記内面７ａと嵌合するように円弧状に形成され、前記凹溝７の前記内面７ａの円弧方向に摺動することで該凹溝７と共にヒンジ構造を形成する内側凸片１４と、
前記外扉２０における前記本体枠３と連結される側の外側面２２ａから突出して設けられるとともに該外扉２０の高さ方向に沿って設けられ、前記内側凸片１４の湾曲内面１４ａに嵌合するように円弧状に形成され、前記内側凸片１４の前記湾曲内面１４ａの円弧方向に摺動することで前記凹溝７及び前記内側凸片１４と共にヒンジ構造を形成する外側凸片２４と、
を備えたことを特徴としている。
【００１１】
このような構成によれば、本体枠３の凹溝７の（円弧状の）内面７ａに内扉１０の（円弧状の）内側凸片１４が重なるように配置され、この内側凸片１４が円弧方向に摺動することでヒンジ構造を形成するとともに、内扉１０の内側凸片１４の（円弧状の）湾曲内面１４ａに外扉２０の（円弧状の）外側凸片２４が重なるように配置され、この外側凸片２４が円弧方向に摺動することでヒンジ構造を形成する。すなわち、本体枠３の凹溝７と内扉１０の内側凸片１４及び外扉２０の外側凸片２４は無蝶番構造を二重に形成するようになる。
【発明の効果】
【００１２】
本発明に係る請求項１記載の内照式ポスター掲示装置によれば、筐体内のメンテナンス作業を行うときには、外扉を開いた後に内扉を開くというきわめて簡単な操作で済むようになり、この作業にかかる手間と時間を減らすことができる。
【００１３】
請求項２記載の内照式ポスター掲示装置によれば、筐体（本体枠）に対して内扉と外扉が共に１つのヒンジ部を介して開閉自在となるため、それぞれにヒンジ部を設けるよりも簡素に構成することができる。また、内扉と外扉を共に無蝶番構造とすることで、無蝶番構造のヒンジ部を有する従来の筐体（本体枠）の既存の凹溝を利用することができるようになり、筐体はそのままに内扉と外扉だけを交換すれば済むようになる。これにより、本発明の装置を新たに設置するときに、既設の従来装置の全部を取り換える必要がなくなり、コスト削減が可能となる。
【図面の簡単な説明】
【００１４】
【図１】本発明に係る内照式ポスター掲示装置の実施の形態を示す横断面図である。
【図２】図１における両端部の拡大図である。
【図３】（ａ）内扉及び外扉の開閉動作の説明図（閉じた状態）である。  （ｂ）内扉及び外扉の開閉動作の説明図（開いた状態）である。
【図４】従来の内照式ポスター掲示装置を示す横断面図である。
【図５】従来の無蝶番構造のヒンジ部を示す拡大断面図である。
【発明を実施するための形態】
【００１５】
以下、本発明の実施の形態を図面を参照して具体的に説明する。
この実施の形態（内照式ポスター掲示装置１）は、ポスターＰが配置された筐体２を所望の場所に設置して、筐体２に配置されたポスターＰを掲示するとともに、このポスターＰを発光表示させるものである。この内照式ポスター掲示装置１は、例えば、タバコなどの自動販売機の近傍などに設置されて特定のタバコの広告や、ファーストフード店などの店内に設置されて当該店の新メニューなどの広告として機能する。
【００１６】
図１及び２に示すように、内照式ポスター掲示装置１は、筐体２と、内扉１０と、光源１８と、外扉２０を備えている。なお、後述するが、内扉１０の外面が形成するポスター掲示面１７にはポスターＰが配置される。
【００１７】
筐体２は、アルミ合金などの軽金属からなる略矩形筒状の本体枠３と、本体枠３と同様にアルミ合金などの軽金属製であり、この本体枠３の開放された裏面を閉塞する透光性を有しない裏面板８からなり、全体として扁平箱状となっている。本体枠３は、その強度を高めるために、図示しない上面部の他、下面部４、右側面部５（各図における右側）及び左側面部６（各図における左側）がそれぞれ略矩形枠状の断面となって形成されている。なお、図にあらわれない上面部や下面部４の断面形状も、右側面部５及び左側面部６と略同等の断面形状である。図２に示すように、本体枠３における右側面部５及び左側面部６のそれぞれの外側面５ａ，６ａの表面側には、本体枠３の高さ方向に沿って延びた円弧状の内面７ａを有する凹溝７が設けられている。また、裏面板８は、本体枠３の裏面の開口形状と同等形状、すなわち、略矩形に形成されており、複数のビス９によって本体枠３に取り付けられている。
【００１８】
筐体２の開放された表面には、この表面開口を閉塞するための内扉１０が設けられている。内扉１０は、その強度を高めるために、上述した本体枠３と同様、図示しない上面部、下面部１１、右側面部１２（各図における右側）及び左側面部１３（各図における左側）がそれぞれ略矩形枠状の断面部分を有するように形成されている。また、右側面部１２及び左側面部１３の両外側面１２ａ，１３ａのうち、本体枠３と連結される側となるいずれか一方（この実施の形態では、右側面部１２の外側面１２ａ）には、この外側面１２ａから突出して内側凸片１４が設けられている。内側凸片１４は、内扉１０の高さ方向に沿って延在するように設けられている。内側凸片１４は、その外面が本体枠３の凹溝７の円弧状の内面７ａと嵌合可能となるような円弧状に形成されている。また、内側凸片１４は、円弧状の湾曲内面１４ａを有している。内扉１０は、内側凸片１４が本体枠３の右側面部５の外側面５ａに設けられた凹溝７と嵌合して、内側凸片１４が凹溝７の内面７ａを円弧方向に摺動することでヒンジ構造を形成している。これにより、内扉１０は、外側面５ａに回動可能に連結されるようになり、開閉自在となる。また、内扉１０の他方の外側面（この実施の形態では、左側面部１３の外側面１３ａ）には、本体枠３の左側面部６の外側面６ａにこの内扉１０（外側面１３ａ）を連結させるためのビス１５が取り付けられる。すなわち、このビス１５は、内扉１０の外側面１３ａと本体枠３の外側面６ａを貫通して、内扉１０を、本体枠３の表面を閉塞状態に保持するロック機構となる。さらに、内扉１０はその裏面側が筐体２（本体枠３）の表面側に向いており、内扉１０の表面側に透光性を有する板体１６が取り付けられている。この板体１６は、一般的には透明なアクリル板を使用しており、筐体２の側を向いた面（内面）とは反対となる面、すなわち、外面はポスターＰが配置される前述したポスター掲示面１７となる。
【００１９】
筐体２内には基部１９を介して光源１８が配設されている。この実施の形態では、光源１８として複数の蛍光灯タイプのＬＥＤなどを使用している。また、図にはあらわれないが、光源１８となるこれらの蛍光灯タイプのＬＥＤは、筐体２の表面側を全体的に略均等に照射可能となるように適宜配置されている。
【００２０】
また、筐体２には、内扉１０のポスター掲示面１７を覆うように外扉２０が設けられている。この外扉２０においても、その強度を高めるために、上述した本体枠３及び内扉１０と同様、図示しない上面部、下面部２１、右側面部２２（各図における右側）及び左側面部２３（各図における左側）がそれぞれ略矩形枠状の断面部分を有するように形成されている。右側面部２２及び左側面部２３の両外側面２２ａ，２３ａのうち、本体枠３及び内扉１０と連結される側となるいずれか一方（この実施の形態では、内扉１０と同様に右側面部２２の外側面２２ａ）には、この外側面２２ａから突出して外側凸片２４が設けられている。外側凸片２４は、外扉２０の高さ方向に沿って延在するように設けられている。外側凸片２４は、その外面が内側凸片１４の円弧状の湾曲内面１４ａと嵌合可能となるような円弧状に形成されている。また、外側凸片２４は、円弧状の湾曲内面を有している。外扉２０は、外側凸片２４が本体枠３の左側面部５の外側面５ａに設けられた凹溝７と嵌合している内扉１０の湾曲内面１４ａと嵌合して、外側凸片２４が内扉１４の湾曲内面１４ａを円弧方向に摺動することでヒンジ構造を形成している。これにより、外扉２０は、本体枠３の外側面５ａに回動可能に連結されるようになり、開閉自在となる。また、外扉２０の他方の外側面（この実施の形態では、左側面部２３の外側面２３ａ）には、内扉１４の左側面部１３の外側面１３ａにこの外扉２０（外側面２３ａ）を連結させるためのビス２５が取り付けられる。すなわち、このビス２５は、外扉２０の外側面２３ａと内扉１４の外側面１３ａを貫通して、外扉２０を、内扉１０が形成するポスター掲示面１７を覆う状態に保持するロック機構となる。さらに、外扉２０はその裏面側が内扉１０の側に向いており、外扉１０の表面側に透光性を有する表示部となる板体２６が取り付けられている。この表示部となる板体２６は、ポスター掲示面１７に配置されたポスターＰを鮮明に表示させるために、一般的には透明なアクリル板を使用している。
【００２１】
本体枠３の凹溝７、内扉１０の内側凸片１４、外扉２０の外側凸片２４は、本体枠３にこれらの内扉１０及び外扉２０を開閉自在に連結させるためのヒンジ部３０となる。このヒンジ部３０は、いわゆる無蝶番構造であるとともに、２つの扉（内扉１０と外扉２０）を１つのヒンジ部３０だけで回動可能とするものである。図３（ａ）に示すように、このヒンジ部３０では、内扉１０と外扉２０を閉じた状態において、外扉２０の外側凸片２４の長さが本体枠３の凹溝７の内面７ａと略同等に形成されており、内扉１０の内側凸片１４の長さはそれよりも短縮して形成されている。また、凹溝７は、本体部３の右側面部５の外側面５ａに設けられた延出部３１と、外扉２０の右側面部２２の外側面２２ａに設けられた延出部３２とで塞がれており、図３（ｂ）に示すように、これら２つの延出部３１，３２の当接部分が外扉２０を開閉するときの支点となる。さらに、図３（ａ）に示すように、本体枠３には、凹溝７の表面側の先端部から更に表面側に突出した延出部３３が設けられている。また、内扉１０の外側面１２ａにおける本体枠３と対向する側の端部には、外側に突出した延出部３４が設けられている。そして、図３（ｂ）に示すように、内扉１０を開放したときに、内扉１０の延出部３４が本体枠の延出部３３に当接することによりこの内扉１０のそれ以上の開放が規制される。
【００２２】
ヒンジ部３０では、外扉２０を凹溝７の内面７ａの円弧方向に大きく開放することで、外側凸片２４が内側凸片１４の湾曲内面１４ａ及び凹溝７の内面７ａから脱出してこの外扉２０を筐体２（本体枠３）から取り外すことができる。また、外扉２０を取り外すと、内側凸片１４の外側凸片２４による規制が解除され、これにより、内扉１０を筐体２（本体枠３）から取り外すことができる。なお、２つの扉（内扉１０と外扉２０）を取り付けるときには、このような作業を逆から行えばよい。
【００２３】
上述した実施の形態によれば、筐体２内のメンテナンス作業を行うときには、外扉２０を開いた後に内扉１０を開くというきわめて簡単な操作で済むようになり、この作業にかかる手間と時間を減らすことができる。
【００２４】
なお、上述した実施の形態では、内扉１０と外扉２０が共通する１つのヒンジ部３０を回動軸として開閉可能に構成されているが、内扉１０と外扉２０にそれぞれヒンジ部を設けた構成としてもよい。このように構成しても、内扉１０が開閉構造であるため、メンテナンス作業にかかる手間と時間を減じることができる。また、その場合（内扉１０を開閉構造とする場合）には、一般的な扉に使用されるヒンジを用いることも可能である。
【００２５】
また、筐体２（本体枠３）に対して内扉１０と外扉２０が共に１つのヒンジ部３０を介して開閉自在となるため、それぞれにヒンジ機構を設けるよりも簡素に構成することができる。また、内扉１０と外扉２０を共に無蝶番構造とすることで、無蝶番構造のヒンジ部を有する従来の筐体の既存の凹溝（凹溝７）を利用することができるようになり、筐体はそのままに内扉１０と外扉２０だけを交換すれば済むようになる。これにより、装置全部を取り換える必要がなくなり、コスト削減が可能となる。
【００２６】
なお、上述した二重無蝶番構造のヒンジ部３０は、この実施の形態（内照式ポスター掲示装置１）以外でも、内扉１０と外扉２０のような略同一の回動軸を有する二重扉に広く適用することが可能である。
【符号の説明】
【００２７】
１…内照式ポスター掲示装置
２…筐体
３…本体枠
５ａ…外側面
７…凹溝
７ａ…内面
８…裏面板
１０…内扉
１２ａ…外側面
１４…内側凸片
１４ａ…湾曲内面
１７…ポスター掲示面
１８…光源
２０…外扉
２２ａ…外側面
２４…外側凸片
３０…ヒンジ部
Ｐ…ポスター
【図１】
2014145912.tif 000003
【図２】
2014145912.tif 000004
【図３】
2014145912.tif 000005
【図４】
2014145912.tif 000006
【図５】
2014145912.tif 000007